(57)【要約】【課題】録音音声の再生時に、再生している録音音声を録音した時点での受信信号のレベルを示す画像を表示させる。【解決手段】信号レベル表示制御部４４は、音声信号を録音するときには、録音する音声信号に対応づけて、そのときの受信信号のレベルをメモリ４３に記憶する。録音した音声信号を再生するときには、信号レベル表示制御部４４は、再生する音声信号に対応付けられてメモリ４３に記憶されている受信信号のレベルを取得して、その取得したレベルに基づいた信号レベル表示用の画像を画像メモリ４５に記憶されている画像から選択して、選択した画像を表示装置６０に表示させる。【選択図】図１
2008124780.tif 000002
【特許請求の範囲】
【請求項１】
信号を受信する受信手段と、
前記受信手段が受信した信号から、音声信号を抽出する音声信号抽出手段と、
前記音声信号抽出手段が抽出した音声信号を記憶する音声信号記憶手段と、
前記音声信号記憶手段による音声信号の記憶に応答して、前記受信手段が受信した信号のレベルを測定し、測定したレベルを、記憶する音声信号に対応付けて記憶する、レベル記憶手段と、
前記音声信号記憶手段によって記憶された音声信号の再生に応答して、該再生する音声信号に対応付けられて前記レベル記憶手段に記憶されているレベルを示す情報を表示する表示手段と、
を備えることを特徴とする受信装置。
【請求項２】
レベルを示すための画像を、レベルの大きさ毎に複数記憶するレベル表示用画像記憶手段をさらに備え、
前記表示手段は、レベルの大きさに対応した画像を、前記レベル表示用画像記憶手段に記憶されている複数の画像から選択し、選択した画像をレベルを示す情報として表示する、
ことを特徴とする、請求項１に記載の受信装置。
【請求項３】
コンピュータを、
信号を受信する受信手段と、
前記受信手段が受信した信号から、音声信号を抽出する音声信号抽出手段と、
前記音声信号抽出手段が抽出した音声信号を記憶する音声信号記憶手段と、
前記音声信号記憶手段による音声信号の記憶に応答して、前記受信手段が受信した信号のレベルを測定し、測定したレベルを、記憶する音声信号に対応付けて記憶する、レベル記憶手段と、
前記音声信号記憶手段によって記憶された音声信号の再生に応答して、該再生する音声信号に対応付けられて前記レベル記憶手段に記憶されているレベルを示す情報を表示する表示手段と、
して機能させるプログラム。
【発明の詳細な説明】
【技術分野】
【０００１】
本発明は、受信信号から抽出した音声信号を録音、再生する機能と、受信信号のレベルを表示する機能とを有する受信装置、及び、プログラムに関する。
【背景技術】
【０００２】
受信した信号（受信信号）から、音声信号を抽出し、抽出した音声信号を録音、再生する録音再生機能を有する受信装置が特許文献１に開示されている。
また、特許文献２には、受信信号のレベルを表示する技術が開示されている。
【特許文献１】特開２００１−１９６９５１号公報
【特許文献２】特開２００４−６４５９２号公報
【発明の開示】
【発明が解決しようとする課題】
【０００３】
録音再生機能を備え、且つ、受信信号のレベルを表示することが可能な受信装置が、録音した音声信号を再生する時に表示する受信信号のレベルは、あくまでその時点での受信信号のレベルである。しかし、ユーザにとっては、再生されている音声信号を録音した時点における、受信信号のレベルを表示した方が、再生している音声信号の受信状況を知るためにも、より有意義である。
【０００４】
本発明は上記実状に鑑みてなされたものであり、録音した音声信号を再生する場合に、再生する音声信号を録音した時点における、受信信号のレベルを表示する、受信装置、および、プログラムを提供することを目的とする。
【課題を解決するための手段】
【０００５】
上記目的を達成するため、本発明の第１の観点に受信装置は、
信号を受信する受信手段と、
前記受信手段が受信した信号から、音声信号を抽出する音声信号抽出手段と、
前記音声信号抽出手段が抽出した音声信号を記憶する音声信号記憶手段と、
前記音声信号記憶手段による音声信号の記憶に応答して、前記受信手段が受信した信号のレベルを測定し、測定したレベルを、記憶する音声信号に対応付けて記憶する、レベル記憶手段と、
前記音声信号記憶手段によって記憶された音声信号の再生に応答して、該再生する音声信号に対応付けられて前記レベル記憶手段に記憶されているレベルを示す情報を表示する表示手段と、
を備えることを特徴とする。
【０００６】
レベルを示すための画像を、レベルの大きさ毎に複数記憶するレベル表示用画像記憶手段をさらに備え、
前記表示手段は、レベルの大きさに対応した画像を、前記レベル表示用画像記憶手段に記憶されている複数の画像から選択し、選択した画像をレベルを示す情報として表示してもよい。
【０００７】
本発明の第２の観点に係るプログラムは、
コンピュータを、
信号を受信する受信手段と、
前記受信手段が受信した信号から、音声信号を抽出する音声信号抽出手段と、
前記音声信号抽出手段が抽出した音声信号を記憶する音声信号記憶手段と、
前記音声信号記憶手段による音声信号の記憶に応答して、前記受信手段が受信した信号のレベルを測定し、測定したレベルを、記憶する音声信号に対応付けて記憶する、レベル記憶手段と、
前記音声信号記憶手段によって記憶された音声信号の再生に応答して、該再生する音声信号に対応付けられて前記レベル記憶手段に記憶されているレベルを示す情報を表示する表示手段と、して機能させることを特徴とする。
【発明の効果】
【０００８】
本発明によれば、録音した音声信号を再生する場合に、再生する音声信号を録音した時点における、受信信号のレベルを表示することを可能にする。
【発明を実施するための最良の形態】
【０００９】
以下、本発明の実施の形態に係る受信装置及びプログラムについて、図面を参照して説明する。
【００１０】
前提として、本発明の実施の形態に係る受信装置１は、受信信号から抽出した音声信号を出力しつつ、そのときの受信信号のレベルを表示する処理（通常受信処理）と、受信信号から抽出した音声信号を出力、および録音しつつ、そのときの受信信号のレベルを記録する処理（録音処理）と、録音した音声信号を再生しつつ、再生している音声信号を録音した時点での受信信号のレベルを表示する処理（再生処理）との３つの処理系を有する。各処理の詳細については後述する。
【００１１】
本発明の実施の形態に係る受信装置１は、図１に示すように、アンテナ１０、受信回路２０、検波回路３０、制御部４０、スピーカ５０、表示装置６０、増幅器８０、を備える。
【００１２】
アンテナ１０は、無線信号を受信する。
受信回路２０は、アンテナ１０が受信した無線信号に必要な周波数変換等の処理を施し、所望の周波数成分の受信信号を抽出し、検波回路３０に出力する。また、受信回路２０は、電界強度計を備え、受信信号の電界強度（電界レベル）を求め、制御部４０内の信号レベル表示制御部４４に、求めた電界レベルを示す信号（電界レベル信号）を出力する。
【００１３】
検波回路３０は、受信回路２０から出力された受信信号から音声信号を復調し、増幅器８０および制御部４０内の録音回路４１に出力する。
【００１４】
制御部４０は、受信装置１全体の動作を制御する。制御部４０は、録音回路４１と、再生回路４２と、メモリ４３と、信号レベル表示制御部４４と、画像メモリ４５と、を備える。
【００１５】
録音回路４１は、録音処理において、検波回路３０から出力された音声信号を、メモリ４３に記憶（録音）する。
再生回路４２は、再生処理において、メモリ４３に記憶されている音声信号を、増幅器８０を介して増幅させ、スピーカ５０に出力する。
【００１６】
信号レベル表示制御部４４は、通常受信処理において、受信回路２０から出力された電界レベル信号を受信して、この電界レベル信号が示す電界レベル、即ち、受信信号のレベル、音声を表すための画像を、後述する画像メモリ４５に記憶されている複数のレベル表示用画像のうちから１つ選択して、選択した画像を表示装置６０に表示させる。
録音処理においては、信号レベル表示制御部４４は、通常受信処理時と同様に、受信回路２０から出力された電界レベル信号を受信して、受信した電界レベル信号が示している受信信号のレベルを表すための画像を表示装置６０に表示させるとともに、受信した電界レベル信号を、そのとき録音している音声信号と対応付けてメモリ４３に記録する。
また、再生処理時には、信号レベル表示制御部４４は、再生されている音声信号に対応づけられて記憶されている電界レベル信号を、メモリ４３から取得し、取得した電界レベル信号が示す電界レベル、即ち、受信信号のレベルを表すための画像を、後述する画像メモリ４５に記憶されている複数のレベル表示用画像のうちから１つ選択して、選択した画像を表示装置６０に表示させる。
【００１７】
画像メモリ４５は、レベル表示用画像を複数記録する。レベル表示用画像は、表示したい信号のレベルを表す画像である。図２にレベル表示用画像の例を示す。図２（ａ）は、表す信号のレベルが０の場合（信号が検出されない場合）に対応するレベル表示用の画像の例を示したものであり、画像内の指針（矢印）は０を示している。図２（ｂ）は、表す信号のレベルが計測可能範囲内での最大値となる場合に対応するレベル表示用の画像の例を示したものであり、画像内の指針（矢印）は最大限に振れている。
【００１８】
スピーカ５０は、通常受信処理時、又は録音処理時には、検波回路３０から出力され、増幅器８０を介して増幅された音声信号を受信して、音を発生する。
また、再生処理時には、スピーカ５０は、再生回路４２から出力され、増幅器８０を介して増幅された音声信号を受信して、音を再生する。
表示装置６０は、各種情報を表示する。例えば、表示装置６０は、受信信号のレベルを示す画像を表示する。
【００１９】
増幅器８０は、検波回路３０、又は再生回路４２から出力される音声信号を増幅する。
【００２０】
次に、受信装置１の動作について説明する。
【００２１】
（通常受信処理）
通常受信処理においては、検波回路３０から出力された音声信号は、増幅器８０を介して増幅され、スピーカ５０より出力される。また、この音声信号の出力時点における、受信信号の電界レベルを表す信号（電界レベル信号）が、信号レベル表示制御部４４に入力される。そして、信号レベル表示制御部４４は、入力された電界レベル信号が表している電界レベル、即ち、受信信号のレベルを表示するための画像を表示装置６０に表示させる。
この、受信信号のレベルを表示させる処理について、図３に示すフローチャートを参照して詳細に説明する。
【００２２】
まず、信号レベル表示制御部４４は、一定時間毎に、受信回路２０から送信された電界レベル信号が示す電界強度のレベル、即ち、受信信号のレベルを取得する（ステップＳ１１）。
次に、信号レベル表示制御部４４は、ステップＳ１１で取得した受信信号のレベルを表示するための信号レベル表示用の画像を、画像メモリ４５に記憶されている複数の画像から選択する（ステップＳ１２）。
【００２３】
そして、信号レベル表示制御部４４は、ステップＳ１２で取得した信号レベル表示用の画像を、表示装置６０に表示させる（ステップＳ１３）。
【００２４】
信号レベル表示制御部４４は、微小時間（例えば０．１秒）毎に、上述のステップＳ１１〜Ｓ１３の処理を繰り返し行うため、その都度表示装置６０に表示される信号レベル表示用の画像は更新される。そのため、実質的に、表示装置６０には、受信信号のレベルをリアルタイムで表した画像が表示される。
【００２５】
（録音処理）
録音処理においては、検波回路３０から出力された音声信号は、増幅器８０を介して増幅され、スピーカ５０より出力されるとともに、録音回路４１に出力されて、メモリ４３に記録される。また、この音声信号の出力時点における、受信信号の電界レベルを表す信号（電界レベル信号）が、信号レベル表示制御部４４に入力される。そして、信号レベル表示制御部４４は、入力された電界レベル信号が表している電界レベル、即ち、受信信号のレベルを表示するための画像を表示装置６０に表示させるとともに、そのとき録音している音声信号に対応付けて、入力された電界レベル信号をメモリ４３に記憶する。この、電界レベル信号を記憶する処理について、図４のフローチャートを参照して詳細に説明する。
【００２６】
まず、信号レベル表示制御部４４は、検波回路３０から送信された電界レベル信号を取得する（ステップＳ２１）。
【００２７】
次に、信号レベル表示制御部４４は、ステップＳ２１で取得した電界レベル信号を、録音回路４１によりそのときメモリ４３に記憶（録音）されている音声信号に対応付けて、メモリ４３に記録する（ステップＳ２２）。
【００２８】
上記のステップＳ２１〜Ｓ２２の処理は、音声録音処理が終了するまで、音声信号を録音する一定の微小時間（例えば０．１秒）毎に繰り返しなされる。そのため、図５に示すように、録音された音声信号の一定な微小時間（Δｔ）毎に、そのとき出力された電界レベル信号（Ｓ１、Ｓ２、…、Ｓｎ）が、その時点で録音された音声信号と対応付けられて記録される。
【００２９】
（再生処理）
再生処理においては、検波回路３０から増幅器８０への音声信号の出力は停止される。また、メモリ４３に記憶された音声信号が再生回路４２に出力される。再生回路４２は、メモリ４３に記憶されている音声信号を、増幅器８０を介して増幅させ、スピーカ５０より出力する。また、この出力と同時に、出力されている音声信号に対応付けられて記憶されている電界レベル信号が示す電界レベル、即ち、受信信号のレベルを表示するための画像が表示装置６０に表示される。
この、受信信号のレベルを表示する処理について、図６に示すフローチャートを参照して詳細に説明する。
【００３０】
まず、信号レベル表示制御部４４は、再生回路４２がメモリ４３に記憶されている音声信号を再生すると、再生している音声信号に対応付けられてメモリ４３に記憶されている電界レベル信号を取得する（ステップＳ３１）。
【００３１】
次に、信号レベル表示制御部４４は、ステップＳ３１で取得した電界レベル信号が表している電界レベル、即ち、受信信号のレベルを表示するための信号レベル表示用の画像を、画像メモリ４５に記憶されている複数の画像から選択する（ステップＳ３２）。
【００３２】
そして、信号レベル表示制御部４４は、ステップＳ３２で選択した画像を表示装置６０に表示させる（ステップＳ３３）。
【００３３】
上記の一連の処理（ステップＳ３１〜Ｓ３３）は、再生処理が終了するまで、再生回路４２が音声信号を再生する一定の微小時間（例えば０．１秒）毎に、繰り返し行われる。そのため、表示される画像が示す信号のレベルは、実質的に、そのとき再生されている音声信号を録音した時点での、受信信号のレベルを示したものとなる。
【００３４】
以上のように、本発明に係る受信装置１は、音声信号を録音する際に、受信信号の電界レベルを示す信号（電界レベル信号）を、そのときに録音している音声信号に対応づけて記録する。そして、録音した音声信号を再生する際には、再生する音声信号に対応付けられて記憶されている電界レベル信号が示す電界レベル、即ち、受信信号のレベルを表示するための画像を、表示装置６０に表示させる。そのため、録音音声の再生時に表示装置６０に表示される信号のレベルは、再生されている音声信号を録音した時点での、受信信号のレベルとなり、ユーザは再生している音声信号の受信状況を知るための情報を得ることができる。
【００３５】
なお、この発明は上記実施形態に限定されず、種々の変形及び応用が可能である。
【００３６】
例えば、上記実施の形態では、信号のレベルを表示させるために、表示させる信号のレベルに基づいた画像を画像メモリ４５に保存されている画像から選択して表示装置６０に表示したが、画像メモリ４５を介さないで、表示させたい信号のレベルを、アナログメータ等に表示させるようにしてもよい。
【００３７】
また、上記実施の形態では、受信信号のレベルを、受信信号の電界強度に相当するものとしたが、これに限るものではく、例えば受信信号の平均電力を、受信信号のレベルに相当するものとしてもよい。
【００３８】
また、上記実施の形態にかかる受信装置の制御部４０が行う機能は、汎用のコンピュータシステムによって実現することもできる。この場合、制御部４０が行う上記各処理を実現するためのプログラムを汎用コンピュータシステムにインストールしてＯＳ（Operating System）との協働により実行することで、汎用コンピュータ装置を、上記受信装置の制御部４０として機能させることができる。
【００３９】
そして、上述の機能を実現するプログラムの提供方法は任意であり、CD−ROMなどの記録媒体に格納して提供可能なことはもとより、例えば、インターネットなどの通信媒体を介して提供してもよい。
【図面の簡単な説明】
【００４０】
【図１】本発明の一実施の形態である受信装置のブロック図である。
【図２】画像メモリに記録されている画像の例を示す図である。
【図３】通常受信処理において、受信信号のレベルを表示させる動作を説明するためのフローチャートである。
【図４】録音処理において、受信信号のレベルを記録する動作を説明するためのフローチャートである。
【図５】音声信号と受信信号のレベルとが、対応付いて記憶されることを説明するための図である。
【図６】再生処理において、録音した音声信号の再生時に、再生している音声信号を録音した時点での受信信号のレベルを表示させる動作を説明するためのフローチャートである。
【符号の説明】
【００４１】
１  受信装置
１０  アンテナ
２０  受信回路
３０  検波回路
４０  制御部
４１  録音回路
４２  再生回路
４３  メモリ
４４  信号レベル表示制御部
４５  画像メモリ
５０  スピーカ
６０  表示装置
８０  増幅器
【図１】
2008124780.tif 000003
【図２】
2008124780.tif 000004
【図３】
2008124780.tif 000005
【図４】
2008124780.tif 000006
【図５】
2008124780.tif 000007
【図６】
2008124780.tif 000008